(57)【要約】【課題】撮影者がレンズ光軸方向に対してストロボの発光方向を任意に変え、ストロボ撮影することができる電子ビデオカメラ装置を提供する。【解決手段】レンズ光軸方向Ｘとストロボ発光方向Ｆとが同一方向となるカメラ部１１１及び本体部１１２の回動位置を基準位置として、撮影者の意図により、カメラ部１１１に対して本体部１１２を回動させることにより、そのストロボ発光面１３１を、レンズ部１４０の撮影レンズ１４１のレンズ光軸方向Ｘと異なる方向に向けて、レンズ光軸方向Ｘに対してストロボ発光方向Ｆを変化させることができる。【選択図】  図１
2004221868.tif 000002
【特許請求の範囲】
【請求項１】
撮影レンズが設けられたレンズ部と、
該レンズ部によって撮影した映像信号出力を記録媒体に記録し、該記録媒体に記録されている映像信号出力を再生する記録再生部と
を備えたビデオカメラ本体を有する電子ビデオカメラ装置であって、
前記ビデオカメラ本体に設けられ、前記レンズ部によって撮影される被写体の構図を確認するビューファインダ部と、
前記ビデオカメラ本体に設けられ、前記レンズ部によって撮影され前記記録再生部によって前記記録媒体に記録される撮影映像、及び前記記録媒体に記録され前記記録再生部によって再生された再生映像を表示し、前記レンズ部のレンズ光軸と直交する軸を回転軸として回動可能なモニタ部と、
該モニタ部に設けられ、当該モニタ部の画面向きと反対向きに発光部を臨ませたストロボ装置と
を備えていることを特徴とする電子ビデオカメラ装置。
【請求項２】
前記ビデオカメラ本体には、前記ストロボ装置によるストロボ発光時における、被写体からのストロボ反射光量を検出する調光センサが、前記レンズ部のレンズ光軸と同方向に検出面を向けて設けられている
ことを特徴とする請求項１記載の電子ビデオカメラ装置。
【請求項３】
前記ビデオカメラ本体は、前記レンズ部及びビューファインダ部が設けられたカメラ部筐体と、前記記録再生部が設けられた本体部筐体とから構成され、該本体部筐体は、前記レンズ部のレンズ光軸と直交する軸を回転軸として、前記カメラ部筐体に対して回動可能に連結され、前記モニタ部は、前記本体部筐体に固設されている
ことを特徴とする請求項１記載の電子ビデオカメラ装置。
【請求項４】
前記カメラ部筐体には、前記ストロボ装置によるストロボ発光時における、被写体からのストロボ反射光量を検出する調光センサが、前記レンズ部のレンズ光軸と同方向に検出面を向けて設けられている
ことを特徴とする請求項３記載の電子ビデオカメラ装置。
【発明の詳細な説明】
【０００１】
【発明の属する技術分野】
本発明は、ストロボを備えた電子ビデオカメラ装置に関するものである。
【０００２】
【従来の技術】
従来、この種の電子ビデオカメラ装置においては、ストロボの発光方向とレンズの光軸とを合わせるため、ストロボはカメラ部に配置されている。
【０００３】
図５は、従来の電子ビデオカメラ装置の一例の構成図である。
本従来例の電子ビデオカメラ装置５０１は、ビデオカメラ本体５１０が、撮影レンズ及びＣＣＤ撮像素子等を有するレンズ部５４０が配置されたカメラ部５１１と、このレンズ部５４０によって撮影した映像信号出力を記録媒体に記録し、記録媒体に記録されている映像信号出力を再生する記録再生部５５０を備えた本体部５１２とが、別筐体によって構成されている。そして、別筐体によって構成されたカメラ部５１１と本体部５１２とは、回動連結機構５２０によって一体的に連結され、相互に回動可能な構成になっている。
【０００４】
そして、ストロボ装置５３０は、そのストロボ発光面５３１の向きＦを、レンズ部５４０の撮影レンズ５４１のレンズ光軸ｘの向きＸと同方向に向けて、カメラ部５１１に設けられている。
【０００５】
図６は、従来の電子ビデオカメラ装置の別例の構成図である。
本従来例の電子ビデオカメラ装置６０１は、同一筐体にレンズ部６４０及び記録再生部６５０が備えられたビデオカメラ本体６１０を片手で支持しながら、支持した手の指で撮影操作が行える、いわゆるシューティング方式の電子ビデオカメラ装置である。
【０００６】
このシューティング方式の電子ビデオカメラ装置６０１においても、ストロボ装置６３０は、そのストロボ発光面６３１の向きＦを、レンズ部６４０の撮影レンズ６４１のレンズ光軸方向Ｘと同方向に向けて、ビデオカメラ本体６１０に設けられている。
【０００７】
また、特開２００１−５１３４０号公報には、カメラ本体を収容する直方体状ケースの側面上方に、撮影レンズを含む撮像部を設け、このカメラ本体を収容する直方体状ケースの前面にはストロボ発光器を設けた構成の電子カメラが示されている。
【０００８】
そして、この電子カメラにあっては、撮像部はカメラ本体を収容する直方体状ケースに固定的に取り付けられており、撮像部の撮影レンズの向きを、カメラ本体を収容する直方体状ケースに対して回動させることはできず、ストロボ発光器の向きと、撮影レンズの向きとの関係は、常に同方向になっている。
【０００９】
また、特開平１０−２４３２６６号公報には、カメラ部と本体部との２つの部分で構成され、かつ本体部に対してカメラ部が回動自在にされた電子カメラ装置が示されている。
【００１０】
この電子カメラ装置においては、本体部の前方上隅部に被写体に照明光を照射するストロボ装置及びオート受光窓を内蔵させるとともに、ストロボ装置の照射方向を回動変化させるストロボ回動軸をカメラ部の連結軸に同心的に連結して、カメラ部の回動角度に追従してストロボ装置及びオート受光窓を回動させ得る構成になっている。
【００１１】
【特許文献１】
特開２００１−５１３４０号公報
【特許文献２】
特開平１０−２４３２６６号公報
【００１２】
【発明が解決しようとする課題】
しかしながら、上述した従来の技術である、特開２００１−５１３４０号公報記載の電子カメラ、及び特開平１０−２４３２６６号公報記載の電子カメラ装置とも、何れもストロボの発光方向が常にレンズ部のレンズ光軸と同方向となるようにして構成されている。
【００１３】
このため、従来のビデオカメラ装置においては、撮影者が任意にレンズ光軸方向に対してストロボの発光方向を変え、ストロボ撮影することができない、という課題があった。
【００１４】
本発明は、上記問題点に鑑み、撮影者がレンズ光軸方向に対してストロボの発光方向を任意に変え、ストロボ撮影することができる電子ビデオカメラ装置を提供することを目的とする。
【００１５】
【課題を解決するための手段】
上記目的を達成するために、本発明の電子ビデオカメラ装置は、撮影レンズが設けられたレンズ部と、該レンズ部によって撮影した映像信号出力を記録媒体に記録し、該記録媒体に記録されている映像信号出力を再生する記録再生部とを備えるビデオカメラ本体を有する電子ビデオカメラ装置であって、前記ビデオカメラ本体に設けられ、前記レンズ部によって撮影される被写体の構図を確認するビューファインダ部と、前記ビデオカメラ本体に設けられ、前記レンズ部によって撮影され前記記録再生部によって前記記録媒体に記録される撮影映像、及び前記記録媒体に記録され前記記録再生部によって再生された再生映像を表示し、前記レンズ部のレンズ光軸と直交する軸を回転軸として回動可能なモニタ部と、該モニタ部に設けられ、当該モニタ部の画面向きと反対向きに発光部を臨ませたストロボ装置とを備えていることを特徴とする。
【００１６】
また、本発明の電子ビデオカメラ装置は、前記ビデオカメラ本体は、前記レンズ部及びビューファインダ部が設けられたカメラ部筐体と、前記記録再生部が設けられた本体部筐体とから構成され、該本体部筐体は、前記レンズ部のレンズ光軸と直交する軸を回転軸として、前記カメラ部筐体に対して回動可能に連結され、前記モニタ部は前記本体部筐体に固設されていることを特徴とする。
【００１７】
これらによれば、ストロボ発光部を備えたモニタ部を、レンズ部のレンズ光軸と直交する軸を回転軸として、レンズ部とは独立に回動させることにより、ストロボの発光方向をレンズ光軸方向に対して上下に変化させることができ、被写体にストロボ光を直接照射するだけではなく、被写体近くの部屋の壁や天井等に向けて照射することによって、そこから反射した光を被写体に当てて写すバウンスフラッシュ法、等の高度なストロボ撮影も可能になる。この結果、被写体に直接ストロボ光を照射するのではなく、ストロボ光が間接的に照射されるので、ソフトな映像が撮影可能となる。
【００１８】
さらに、ストロボの発光方向をレンズ光軸方向に対して上下に変化させる機構も、ストロボ発光部をモニタ部に備えたので、専用の機構を必要とせず、モニタ部の回動調整機構を利用することができる。
【００１９】
また、本発明の電子ビデオカメラ装置は、前記ビデオカメラ本体には、前記ストロボ装置によるストロボ発光時における、被写体からのストロボ反射光量を検出する調光センサが、前記レンズ部のレンズ光軸と同方向に検出面を向けて設けられていることを特徴とする。
【００２０】
また、本発明の電子ビデオカメラ装置は、前記カメラ部筐体には、前記ストロボ装置によるストロボ発光時における、被写体からのストロボ反射光量を検出する調光センサが、前記レンズ部のレンズ光軸と同方向に検出面を向けて設けられていることを特徴とする。
【００２１】
これらによれば、ストロボの発光方向をレンズ光軸方向に対して上下に変化させても、被写体からの反射光量を検出する調光センサは、常に被写体方向に向いているので、バウンスフラッシュ法等の高度なストロボ撮影時にも、オートによる正確な露出制御、等が行える。
【００２２】
【発明の実施の形態】
以下、添付図面を参照しながら本発明の好適な実施の形態について詳細に説明する。
図１は、本発明の一実施の形態による電子ビデオカメラ装置の斜視図である。
本実施の形態による電子ビデオカメラ装置１０１は、ビデオカメラ本体１１０が、撮影レンズ１４１及びＣＣＤ撮像素子等を有するレンズ部１４０が配置されたカメラ部１１１と、このレンズ部１４０によって撮影した映像信号出力を記録媒体に記録し、記録媒体に記録されている映像信号出力を再生するための記録再生部１５０を備えた本体部１１２とが、別筐体によって構成されている。
【００２３】
略直方体形状の筐体からなるカメラ部１１１には、レンズ部１４０及びビューファインダ部１６０が収容され、その一の面の正面には、高さ方向中央部よりも一側に寄せて、レンズ開口部１１１Ａが形成されている。このレンズ開口部１１１Ａには、被写体を撮影し、その撮影映像を電気信号に変換出力するレンズ部１４０を図示せぬ撮像素子とともに構成する撮影レンズ１４１が臨んで設けられている。また、このカメラ部１１１の一の面の正面には、レンズ部開口部１１１Ａよりも一側の位置に、撮影者が被写体の構図を確認するための光学式又は電子式のビューファインダ部１６０のファインダレンズ１６１が臨むファインダレンズ開口部１１１Ｂと、露出制御等に利用され、被写体からの反射光を計測するための調光センサ１７０の検出口１１１Ｃが設けられている。
これに対し、カメラ部１１１のレンズ開口部１１１Ａ等が設けられた正面と反対側の背面には、前述したビューファインダ部１６０の接眼部１１１Ｄが設けられている。
【００２４】
一方、同じく略直方体形状の筐体からなる本体部１１２には、レンズ部１４０によって撮影した映像信号出力を記録媒体に記録し、記録媒体に記録されている映像信号出力を再生する記録再生部１５０に加えて、モニタ部１８０、及びストロボ装置１３０が設けられている。
【００２５】
モニタ部１８０は、レンズ部１４０によって撮影され、この記録再生部１５０によって記録媒体に記録される撮影映像、及びこの記録媒体に記録され、記録再生部１５０によって再生された再生映像を表示するモニタ画面１８１を有する。このモニタ部１８０のモニタ画面１８１は、本体部１１２のその一の面の正面と反対側の背面に形成された画面開口部１１２Ｅに臨ませて設けられ、このモニタ画面１８１は、例えば，液晶表示素子（ＬＣＤパネル）等によって構成されている。
これに対し、本体部１１２の一の面の正面には、ストロボ装置１３０のストロボ発光面１３１が臨むストロボ開口部１１２Ｆが設けられている。
【００２６】
そして、上述のように構成されたビデオカメラ本体１１０を構成する、それぞれ別筐体からなるカメラ部１１１と本体部１１２とは、回動連結機構１２０を介して、その一の側面と他の側面とを対向させて相互に回動可能に一体的に連結され、ビデオカメラ本体１１０を構成している。
【００２７】
このカメラ部１１１と本体部１１２との回動連結機構１２０を介した連結構成によって、本体部１１２に設けられたモニタ部１８０のモニタ画面１８１、及びストロボ装置１３０のストロボ発光面１３１は、カメラ部１１１に設けられたレンズ部１４０のレンズ光軸ｘと直交する軸ｙを回動軸として回動可能に設けられている。なお、ここでのレンズ光軸ｘと軸ｙとは、略直角に交叉していればよく、レンズ光軸ｘ，軸ｙ同士は、離間していてもよい。
【００２８】
本実施の形態の電子ビデオカメラ装置１０１は構成されるが、次にその作用について説明する。
ビデオ撮影時は、従来の電子ビデオカメラ装置と同様に、ビューファインダ部１６０の接眼部１１１Ｄ又はモニタ部１８０のモニタ画面１８１を見ながら撮影ができる。
【００２９】
そして、静止画撮影時は、次のように撮影を行う。
この際、図１に示すように、カメラ部１１１に対して本体部１１２の回動位置を、本体部１１２に設けられたストロボ装置１３０のストロボ発光面１３１の向きＦが、カメラ部１１１に設けられたレンズ部１４０の撮影レンズ１４１のレンズ光軸方向Ｘと同方向になるように合わせて、両者１１１，１１２を回動調整（角度調整）すれば、レンズ光軸方向Ｘとストロボ発光方向Ｆが同一方向になり、ビューファインダ部１６０の接眼部１１１Ｄ又はモニタ部１８０のモニタ画面１８１を見ながらの通常のストロボ撮影が行える。
【００３０】
さらに、このレンズ光軸方向Ｘとストロボ発光方向Ｆとが同一方向となるカメラ部１１１及び本体部１１２の回動位置を基準位置として、図２又は図３に示すように、撮影者の意図により、カメラ部１１１に対して本体部１１２を回動させることにより、そのストロボ発光面１３１を、レンズ部１４０の撮影レンズ１４１のレンズ光軸方向Ｘと異なる方向に向けて、レンズ光軸方向Ｘに対してストロボ発光方向Ｆを変化させることができるので、被写体にストロボ光を直接照射するだけではなく、被写体近くの部屋の壁や天井等に向けて照射することによってそこから反射した光を被写体に当てて写すバウンスフラッシュ法、等の高度なストロボ撮影を行うことが可能になる。
【００３１】
図２，図３は、それぞれカメラ部に対して本体部を回動調整した状態の電子ビデオカメラ装置の斜視図である。
図２は、電子ビデオカメラ装置１０１を、カメラ部１１１に対する本体部１１２の回動軸ｙの軸方向Ｙから眺めて、レンズ光軸方向Ｘとストロボ発光方向Ｆとが斜めに交叉するように、カメラ部１１１に対して本体部１１２を回動調整した状態を示したものである。
【００３２】
図３は、電子ビデオカメラ装置１０１を、カメラ部１１１に対する本体部１１２の回動軸ｙの軸方向Ｙから眺めて、レンズ光軸方向Ｘとストロボ発光方向Ｆとがほぼ直角に交叉するように、カメラ部１１１に対して本体部１１２を回動調整した状態を示したものである。
【００３３】
これら図２及び図３に示すように、レンズ光軸方向Ｘに対してストロボ発光方向Ｆを変化させ、モニタ部１８０のモニタ画面１８１が見にくくなるような場合であっても、本実施の形態の電子ビデオカメラ装置１０１によれば、ビューファインダ部１６０がカメラ部１１１に設けられているので、その接眼部１１１Ｄからビューファインダ部１６０によって被写体の構図等を確認できる。
【００３４】
また、カメラ部１１１に設けられたビューファインダ部１６０によって被写体の構図等を確認しながら、カメラ部１１１に対して本体部１１２を回動調整して、ストロボ装置１３０のストロボ発光面１３１の向きを調整することもできる。
【００３５】
さらに、レンズ光軸方向Ｘに対してストロボ発光方向Ｆを変化させた場合であっても、調光センサ１７０は、カメラ部１１１に設けられているので、常にレンズ光軸方向Ｘと同方向、すなわち被写体方向を向き、正確な調光計測が可能となり、オートによる正確な露出制御、等を行える。
【００３６】
図４は、本発明の別の実施の形態による電子ビデオカメラ装置の斜視図である。
本実施の形態の電子ビデオカメラ装置２０１は、図１に示した電子ビデオカメラ装置１０１のように、ビデオカメラ本体１１０が、撮影レンズ１４１及びＣＣＤ撮像素子等を有するレンズ部１４０が配置されたカメラ部１１１と、このレンズ部１４０によって撮影した映像信号出力を記録媒体に記録し、記録媒体に記録されている映像信号出力を再生するための記録再生部１５０を備えた本体部１１２とが、別筐体によって構成されておらず、図２に示すように、ビデオカメラ本体２１０が、レンズ部２４０と記録再生部２５０とが一体的に設けられている本体ハウジング２１１と、モニタ部ハウジング２１２とによって構成されている。
【００３７】
そして、モニタ部ハウジング２１２は、モニタ部２８０のモニタ画面２８１を出没可能に、本体ハウジング２１１に対して揺動機構２９０を介して揺動自在に取り付けられ、さらに、モニタ画面２８１を出現させた状態で、モニタ画面２８１の向きを回動調整可能に、本体ハウジング２１１に対して回動機構２２０を介して回動自在に設けられている。
【００３８】
これ以外の構成については、前述の図１に示した電子ビデオカメラ装置１０１と同様なので、同様な構成部分については、その構成部分を矢示する符号について、下２桁につき同じ番号を付し、その説明を省略する。
【００３９】
本実施の形態の電子ビデオカメラ装置２０１も、静止画撮影時は、図１に示した電子ビデオカメラ装置１０１と同様に、図２に示すレンズ光軸方向Ｘとストロボ発光方向Ｆとが同一方向となる本体ハウジング２１１及びモニタ部ハウジング２１２の回動位置を基準位置として、撮影者の意図により、本体ハウジング２１１に対してモニタ部ハウジング２１２を回動させることにより、そのストロボ発光面２３１を、レンズ部２４０の撮影レンズ２４１のレンズ光軸方向Ｘと異なる方向に向けて、レンズ光軸方向Ｘに対してストロボ発光方向Ｆを変化させることができるので、被写体にストロボ光を直接照射するだけではなく、被写体近くの部屋の壁や天井等に向けて照射することによって、そこから反射した光を被写体に当てて写すバウンスフラッシュ法、等の高度なストロボ撮影を行うことが可能になる。
【００４０】
その際、レンズ光軸方向Ｘに対してストロボ発光方向Ｆを変化させ、モニタ部２８０のモニタ画面２８１が見にくくなるような場合であっても、本実施の形態の電子ビデオカメラ装置２０１によれば、ビューファインダ部２６０が本体ハウジング２１１に設けられているので、その接眼部２１１Ｄからビューファインダ部２６０によって被写体の構図等を確認できる。
【００４１】
また、本体ハウジング２１１に設けられたビューファインダ部２６０によって被写体の構図等を確認しながら、本体ハウジング２１１に対してモニタ部ハウジング２１２を回動調整して、ストロボ装置２３０のストロボ発光面２３１の向きを調整することもできる。
【００４２】
さらに、レンズ光軸方向Ｘに対してストロボ発光方向Ｆを変化させた場合であっても、調光センサ２７０は、本体ハウジング２１１に設けられているので、常にレンズ光軸方向Ｘと同方向、すなわち被写体方向を向き、正確な調光計測が可能となり、オートによる正確な露出制御、等を行える。
【００４３】
本発明の電子ビデオカメラ装置は、以上説明したとおりであるが、本発明の電子ビデオカメラ装置の実施の形態は、上記実施の形態の構成に限定されるものではなく、各部の具体的構成については、種々の変形例が可能である。
【００４４】
【発明の効果】
以上のように、本発明の電子ビデオカメラ装置によれば、ストロボ発光部を備えたモニタ部を、レンズ部のレンズ光軸と直交する軸を回転軸として、レンズ部とは独立に回動させることにより、ストロボの発光方向をレンズ光軸方向に対して上下に変化させることができ、被写体にストロボ光を直接照射するだけではなく、被写体近くの部屋の壁や天井等に向けて照射することによって、そこから反射した光を被写体に当てて写すバウンスフラッシュ法、等の高度なストロボ撮影も可能になる。この結果、被写体に直接ストロボ光を照射するのではなく、ストロボ光が間接的に照射されるので、ソフトな映像が撮影可能となる。
【００４５】
さらに、ストロボの発光方向をレンズ光軸方向に対して上下に変化させる機構も、ストロボ発光部をモニタ部に備えたので、専用の機構を必要とせず、モニタ部の回動調整機構を利用することができる。
【００４６】
また、ストロボ装置によるストロボ発光時における、被写体からのストロボ反射光量を検出する調光センサも、レンズ部のレンズ光軸と同方向に検出面を常時向けるようにて設けられているので、ストロボの発光方向をレンズ光軸方向に対して上下に変化させても、被写体からの反射光量を検出する調光センサは、常に被写体方向を向き、バウンスフラッシュ法等の高度なストロボ撮影時にも、オートによる正確な露出制御、等が行える。
【図面の簡単な説明】
【図１】本発明の一実施の形態による電子ビデオカメラ装置の斜視図である。
【図２】本発明の一実施の形態の電子ビデオカメラ装置において、カメラ部に対して本体部を回動調整した状態の電子ビデオカメラ装置の斜視図である。
【図３】本発明の一実施の形態の電子ビデオカメラ装置において、カメラ部に対して本体部を回動調整した図２とは別の状態の電子ビデオカメラ装置の斜視図である。
【図４】本発明の別の実施の形態による電子ビデオカメラ装置の斜視図である
【図５】従来の電子ビデオカメラ装置の一例の構成図である。
【図６】従来の電子ビデオカメラ装置の別例の構成図である。
【符号の説明】
１０１  電子ビデオカメラ装置
１１０  ビデオカメラ本体
１１１  カメラ部
１１１Ａ，２１１Ａ  レンズ開口部
１１１Ｂ，２１１Ｂ  ファインダ開口部
１１１Ｃ，２１１Ｃ  検出口
１１１Ｄ，２１１Ｄ  接眼部
１１２  本体部
１１２Ｅ，２１２Ｅ  画面開口部
１２０，２２０  回動連結機構
１３０，２３０  ストロボ装置
１３１，２３１  ストロボ発光面
１４０，２４０  レンズ部
１４１，２４１  撮影レンズ
１５０，２５０  記録再生部
１６０，２６０  ビューファインダ部
１６１，２６１  ファインダレンズ
１７０，２７０  調光センサ
１８０，２８０  モニタ部
１８１，２８１  モニタ画面
２０１  電子ビデオカメラ装置
２１０  ビデオカメラ本体
２１１  本体ハウジング
２１２  モニタ部ハウジング
２９０  揺動機構
５０１，６０１  電子ビデオカメラ装置
５１０，６１０  ビデオカメラ本体
５１１  カメラ部
５１２  本体部
５２０  回動連結機構
５３０，６３０  ストロボ装置
５３１，６３１  ストロボ発光面
５４０，６４０  レンズ部
５４１，６４１  撮影レンズ
５５０，６５０  記録再生部
【図１】
2004221868.tif 000003
【図２】
2004221868.tif 000004
【図３】
2004221868.tif 000005
【図４】
2004221868.tif 000006
【図５】
2004221868.tif 000007
【図６】
2004221868.tif 000008